(57)【要約】【解決手段】モジュール式ガレージ収納システムは、ギア付き格納システムを備える。ギア付き格納システムによって、収納プラットフォームに積み込みやすくするためにモジュール式ガレージ収納システムの収納プラットフォームを下降させ、また収納プラットフォームを完全に邪魔にならない位置まで持ち上げることが可能になる。【選択図】図１
2010523851.tif 000002
【特許請求の範囲】
【請求項１】
建物の天井構造に取り付けられるように構成された左側上部支持レールおよび右側上部支持レールと、
収納室と、前方開口部と、後部と、左右側部と、左側下部支持レールおよび右側下部支持レールを持つ基部とを有する収納プラットフォームと、
前記左側上部支持レールに滑動可能に接続された上端と、前記左側下部支持レールに滑動可能に接続された下端とを有するリンク部材の左側トラスペアと、
前記右側上部支持レールに滑動可能に接続された上端と、前記右側下部支持レールに滑動可能に接続された下端とを有するリンク部材の右側トラスペアと、
前記左側上部支持レールまたは右側上部支持レールの一方で前記リンク部材の左側トラスペアまたは右側トラスペアの一方の上端の間に接続された格納システムと、
を備える建物の天井構造用のモジュール式収納システム。
【請求項２】
前記左側下部支持レールが左側壁の内側に配置されることを特徴とする請求項１に記載のモジュール式収納システム。
【請求項３】
前記右側下部支持レールが右側壁の内側に配置されることを特徴とする請求項１に記載のモジュール式収納システム。
【請求項４】
前記収納プラットフォームは、前記基部に接続された左垂直壁、後垂直壁、右垂直壁を備えることを特徴とする請求項１に記載のモジュール式収納システム。
【請求項５】
前記リンク部材の左側トラスペアは、上下端を有する第１リンク部材と上下端を有する第２リンク部材とを備え、
前記第１および第２リンク部材は中心枢動軸で互いに枢動可能に接続されており、
前記左側トラスペアの第１リンク部材の上端は、前記左側上部支持レールに滑動可能かつ枢動可能に接続されており、
前記左側トラスペアの第１リンク部材の下端は、前記左側下部支持レールに枢動可能に接続されていることを特徴とする請求項１に記載のモジュール式収納システム。
【請求項６】
前記リンク部材の右側トラスペアは、上下端を有する第１リンク部材と上下端を有する第２リンク部材とを備え、
前記第１および第２リンク部材は中心枢動軸で互いに枢動可能に接続されており、
前記右側トラスペアの第１リンク部材の上端は、前記右側上部支持レールに滑動可能かつ枢動可能に接続されており、
前記右側トラスペアの第１リンク部材の下端は、前記右側下部支持レールに枢動可能に接続されていることを特徴とする請求項１に記載のモジュール式収納システム。
【請求項７】
前記リンク部材の左側トラスペアの第１リンク部材の上端は、前記左側上部支持レールにスライダによって滑動可能かつ枢動可能に接続されており、
前記リンク部材の左側トラスペアの第１リング部材の下端は、前記左側下部支持レールにブラケットによって枢動可能に接続されており、
前記リンク部材の右側トラスペアの第１リンク部材の上端は、前記右側上部支持レールにスライダによって滑動可能かつ枢動可能に接続に接続されており、
前記リンク部材の右側トラスペアの第１リンク部材の下端は、前記右側下部支持レールにブラケットによって枢動可能に接続されていることを特徴とする請求項１に記載のモジュール式収納システム。
【請求項８】
前記格納システムはギア付き格納システムであり、該ギア付き格納システムは、ハウジングと、時計回りおよび反時計回りに回転可能であり下降位置と上昇位置との間で前記収納プラットフォームを移動させる回転可能なクランクと、を備えることを特徴とする請求項１に記載のモジュール式収納システム。
【請求項９】
前記ギア付き格納システムは、前記クランクに取り外し可能に接続され該ギア付き格納システムを操作するためのハンドルをさらに備えることを特徴とする請求項８に記載のモジュール式収納システム。
【請求項１０】
前記回転可能なクランクは、前記ハンドルが取り外し可能に接続されるループ部を備えることを特徴とする請求項１に記載のモジュール式収納システム。
【請求項１１】
前記格納システムは、前記リンク部材の左側トラスペアの上端に接続されることを特徴とする請求項１に記載のモジュール式収納システム。
【発明の詳細な説明】
【技術分野】
【０００１】
（関連出願の相互参照）
この出願は、２００７年４月４日に出願された米国仮特許出願第６０／９２１，７３９号に基づく。
【０００２】
本発明は、移動可能な収納システムに関し、より詳細には、ガレージ内の天井に取り付けられる移動可能なモジュール式収納システムに関する。モジュール式収納システムは、収納システムに物を出し入れしやすくするために下降させることができ、また格納（retraction）システムを用いることで上昇させることができる。
【背景技術】
【０００３】
ガレージの天井の下方に収納空間を設ける従来の収納アセンブリの一つは、天井パネルの開口と、ガレージの垂木に対して直角方向に延びる天井支持梁の開口とを通して延びる金属結合を含む。金属結合を天井支持梁に固定するための留め具が金属結合の上端部に取り付けられ、金属結合の下端部が棚支持梁を支持するために延び出し、その棚支持梁の上に棚パネルが横たわる。しかしながら、このタイプの収納アセンブリは、下降位置と上昇位置との間で調節可能または移動可能ではない。
【０００４】
別のタイプのモジュール式収納システムは、壁または天井に取り付けられる水平方向または垂直方向の支持レールを備え、滑動により調節可能な片持ち式のフックを有している。収納ボックスが開放側のフレームに取り付けられ、透明の開き戸がフックからぶら下がっている。フックの位置は調節可能であるが、このタイプの収納システムもまた、物を収納したり取り出したりするためにアクセスしやすくするための下降位置と、収納アセンブリ内に物を収納するための上昇位置との間で容易には動かすことができない。
【０００５】
固定された支持部と移動可能部材との間を相互接続する軸支装置を有する固定された支持部に対して移動可能である、プルダウン式の展示および収納装置が知られている。この装置は、装置を引き出して支持部から下ろすことで下降させることができ、また装置のバランスのとれたムーブメントを一つ以上のスプリングで制御する。プルダウン式の格納可能な階段アセンブリも知られている。これは、典型的に天井に取り付けられ、屋根裏へのアクセスのために引き下ろしまた収納できるので、天井下で階段アセンブリが占める空間はわずかである。しかしながら、このようなプルダウン式のアセンブリは、典型的に、アクセスのためにアセンブリを引き下ろすのに要する力よりも大きな荷重を支持しない。
【発明の概要】
【発明が解決しようとする課題】
【０００６】
収納システムに物を出し入れしやすくするためにモジュール式収納システムを下降させることができ、また荷重を支持可能な格納システムによってモジュール式収納システム上昇させることができる、ガレージの天井に取り付けされる移動可能なモジュール式収納システムが必要とされている。本発明は、これらのおよび他の必要性を満たす。
【課題を解決するための手段】
【０００７】
簡潔にかつ一般的に述べると、本発明は、建物の天井構造用のモジュール式ガレージ収納システムを提供する。このシステムは、モジュール式ガレージ収納システムの収納プラットフォームに物を積みやすくするために収納プラットフォームを下降させることができ、また収納プラットフォームを完全に邪魔にならない位置まで上昇させることができる、ギア付き格納システムを有している。
【０００８】
好適な態様では、モジュール式ガレージ収納システムは、建物の天井構造に取り付けられるように構成された左側上部支持レールおよび右側上部支持レールと、収納室、前方開口部、後部、左右側部、左側下部支持レールおよび右側下部支持レールを持つ基部を有する収納プラットフォームと、を備える。収納プラットフォームは、上部支持レールから、リンク部材の左側トラスペアおよび右側トラスペアによって支持される。リンク部材の左側トラスペアは、左側上部支持レールに接続された上端と、左側下部支持レールに接続された下端とを有し、リンク部材の右側トラスペアは、右側上部支持レールに接続された上端と、右側下部支持レールに接続された下端とを有する。収納プラットフォームを上昇および下降させるために、ギア付き格納システムが、左側上部支持レールまたは右側上部支持レールの一方でリンク部材の左側トラスペアまたは右側トラスペアの一方の上端の間に接続される。好適な態様では、収納プラットフォームは、基部に接続された左垂直壁、後垂直壁、右垂直壁を備える。別の態様では、左側下部支持レールが左側壁の内側に配置され、右側下部支持レールが右側壁の内側に配置される。
【０００９】
別の好適な態様では、リンク部材の左側トラスペアは、上下端を有する第１リンク部材と上下端を有する第２リンク部材とを備える。第１および第２リンク部材は中心枢動軸で互いに枢動可能に接続されており、左側トラスペアの第１リンク部材の上端は、左側上部支持レールに滑動可能かつ枢動可能に接続されており、左側トラスペアの第１リンク部材の下端は、左側下部支持レールに枢動可能に接続されている。同様に、リンク部材の右側トラスペアは、上下端を有する第１リンク部材と上下端を有する第２リンク部材とを備える。第１および第２リンク部材は中心枢動軸で互いに枢動可能に接続されており、右側トラスペアの第１リンク部材の上端は、右側上部支持レールに滑動可能かつ枢動可能に接続されており、右側トラスペアの第１リンク部材の下端は、右側下部支持レールに枢動可能に接続されている。
【００１０】
別の好適な態様では、リンク部材の左側トラスペアの第１リンク部材の上端は、左側上部支持レールにスライダによって滑動可能かつ枢動可能に接続されており、リンク部材の左側トラスペアの第１リング部材の下端は、左側下部支持レールにブラケットによって枢動可能に接続されており、リンク部材の右側トラスペアの第１リンク部材の上端は、右側上部支持レールにスライダによって滑動可能かつ枢動可能に接続に接続されており、リンク部材の右側トラスペアの第１リンク部材の下端は、右側下部支持レールにブラケットによって枢動可能に接続されている。
【００１１】
ギア付き格納システムは、ハウジングと、時計回りおよび反時計回りに回転可能であり下降位置と上昇位置との間で収納プラットフォームを移動させる回転可能なクランクと、を備え、ギア付き格納システムを操作するためのハンドルがクランクに取り外し可能に接続される。
【００１２】
本発明のこれらのおよび他の形態は、以下の詳細な説明の考慮と添付の図面から明らかになるだろう。
【図面の簡単な説明】
【００１３】
【図１】ガレージの天井に据え付けられる本発明のモジュール式ガレージ収納システムの概要斜視図であり、モジュール式ガレージ収納システムが下降位置にある状態を示す図である。
【図２】取り外し可能なハンドルによって下降位置と上昇位置との間でモジュール式ガレージ収納システムを移動させることを示す、図１のモジュール式ガレージ収納システムの正面図である。
【図３】モジュール式ガレージ収納システムが上昇位置にある状態を示す、図１のモジュール式ガレージ収納システムの正面図である。
【発明を実施するための形態】
【００１４】
モジュール式ガレージ収納システム１０は、典型的には金属で形成され、開口部１４、後部１６、左側部１８、右側部２０、水平基部２２を有する収納プラットフォーム１２を備える。少なくとも三つの垂直壁面が基部に接合されており、これには収納室３０を画成する左側壁２４、後側壁２６および右側壁２８が含まれる。
【００１５】
リンク部材の左側および右側トラスペア３２、３４は、収納プラットフォームの左側面および右側面に接続される。左側トラスペアは、上端３８および下端４０を有する第１リンク部材３６と、上端４４および下端４６を有する第２リンク部材４２とを備える。左側トラスペアの第１および第２リンク部材は、中央枢動軸４７で互いに枢動可能に接続される。右側トラスペアも同様に、上端５０および下端５２を有する第１リンク部材４８と、上端５６および下端５８を有する第２リンク部材５４とを備える。右側トラスペアの第１および第２リンク部材は、中央枢動軸５９で互いに枢動可能に接続される。
【００１６】
収納プラットフォームの左側において、左側トラスペアの第１リンク部材の上端は、左側上部支持レール６２にスライダ６０によって滑動可能かつ枢動可能に接続されており、左側トラスペアの第１リンク部材の下端は、左側下部支持レール６４にブラケット６１によって枢動可能に接続されている。第２リンク部材４２の上端４４は、左側上部支持レールにブラケット６１によって枢動可能に接続されており、第２リンク部材４２の下端４６は、左側下部支持レールにスライダによって滑動可能かつ枢動可能に接続されている。同様に、収納プラットフォームの右側面において、右側トラスペアの第１リンク部材４８の上端５０は、右側上部支持レール６６にスライダによって滑動可能かつ枢動可能に接続されており、右側トラスペアの第１リンク部材の下端は、右側下部支持レール６８にブラケットによって枢動可能に接続されている。同様に、右側トラスペアの第２リンク部材５４の上端５６は、右側上部支持レールにブラケット６１によって枢動可能に接続されており、右側トラスペアの第２リンク部材５４の下端５８は、右側下部支持レールにスライダによって滑動可能かつ枢動可能に接続されている。典型的に、左側下部支持レールは左側壁の内部に配置されており、右側下部支持レールは右側壁の内部に配置される。左側上部支持レールおよび右側上部支持レールは、例えばガレージ７４等の建物の天井７２の天井野縁（joist）７０に取り付けられることが好ましい。
【００１７】
ギア付き格納システム８０は、例えば図示の左側上部支持レール等の上部支持レールの一つでスライダに接続される。ギア付き格納システムはハウジング８２を備える。ハウジング８２は、左側トラスペアの第１および第２リンク部材の上端に接続されたスライダ６０およびブラケット６１に接続される内部駆動機構を操作して、図１および２に示す下降位置と図３に示す上昇位置との間で収納プラットフォームを動かすための回転可能なクランク８４を備えている。回転可能なクランクは、典型的にループ部またはフック部８６を備えている。ギア式格納システムを操作するのために、関節構造の回転可能な取り外し式ハンドル８８等の取り外し可能なハンドルを、このループ部またはフック部８６に取り付けることができる。図２に示すように、ハンドルおよびクランクは時計回りおよび反時計回りに枢動可能であり、下降位置と上昇位置との間で収納プラットフォームを移動させることができる。
【００１８】
モジュール式ガレージ収納システムは、典型的に少なくとも２００ポンドの積載物を保持する。モジュール式ガレージ収納システムは、典型的に約１８インチの深さの収納プラットフォームを備え、４フィート×４フィートの断面で構成され、約２４立方フィートの収納を提供する。床から約８フィートの高さの標準的なガレージの天井に取り付け、収納プラットフォームを下降したとき、モジュール式ガレージ収納システムは、典型的に約７６インチの下方収納クリアランスを与える。
【００１９】
本発明の特定の形態を例示し説明したが、本発明の精神および範囲を逸脱することなく様々な修正をなしうることは上記記載から明らかであろう。したがって、添付の特許請求の範囲によるものを除き、本発明を限定することは意図していない。
【図１】
2010523851.tif 000003
【図２】
2010523851.tif 000004
【図３】
2010523851.tif 000005
【国際調査報告】
2010523851.tif 000006
2010523851.tif 000007